(57)【要約】  本発明は、ボタン（２）の少なくとも一部を飾る、または装飾するための取り外し可能なカバー（１）を固定するためのデバイスに関し、ボタン（２）は表側（３）、裏側（４）、および、その周囲にエッジ側（５）を有し、ボタン（２）は例えばシャツ等の基材（６）上に配置される。カバー（１）は表側（１４）、裏側（１５）、および、ボタン（２）のエッジ側（５）を全体的または部分的に格納する少なくとも１つの壁側（１２）を有し、壁側（１２）は、その対向する内側（１３）の間、またはカバーの表側（１４）／裏側（１５）で、様々な長さの複数の直径（８）を有し、そのうちの長い直径（２２）は、少なくとも２つの対向する点（１０）において、ボタン（２）の直径（９）より長く、カバー（１）の周に対して外側から径方向に圧力をかけると、格納壁側（１２）および／またはカバー（１）は、短い直径（１９）上に位置する少なくとも第２の点（７）と同時に変形し、格納壁側（１２）はカバー（１）の中心（１１）から離れる方向へ、外向きに曲がり、圧力が解放されると、内側（１３）の少なくとも一部は、エッジ側（５）に向かってばね力で戻り、カバー（１）を固定する。【選択図】図１
2013521857.tif 000002
【特許請求の範囲】
【請求項１】
ボタン（２）の少なくとも一部を飾る、または装飾するための取り外し可能なカバー（１）において、前記ボタン（２）は表側（３）、裏側（４）、および、その周囲にエッジ側（５）を有し、前記ボタン（２）は例えばシャツ等の基材（６）上に配置されるものであり、
前記カバー（１）は、表側（１４）、裏側（１５）、および、前記ボタン（２）の前記エッジ側（５）を全体的または部分的に格納する少なくとも１つの壁側（１２）を有し、
前記壁側（１２）は、その対向する内側（１３）の間、または前記カバーの表側（１４）／裏側（１５）で、様々な長さの複数の直径（８）を有し、そのうちの長い直径（２２）は、少なくとも２つの対向する点（１０）において、前記ボタン（２）の直径（９）より長く、
前記カバー（１）の周に対して外側から複数の前記点（１０）で径方向に圧力をかけると、前記格納壁側（１２）および／または前記カバー（１）は、短い直径（１９）上に位置する少なくとも第２の点（７）と同時に変形し、前記格納壁側（１２）は前記カバー（１）の中心（１１）から離れる方向へ、外向きに曲がり、前記エッジ側（５）を格納する空間を生み出し、
前記圧力が解放されると、前記内側（１３）の少なくとも一部は、前記エッジ側（５）に向かってばね力で戻り、前記カバー（１）を固定する
ことを特徴とするカバー。
【請求項２】
前記カバー（１）は、スリーブ（１６）の形状であり、
前記格納壁側（１２）は、前記カバー（１）の前記裏側（１５）からほぼ垂直に突出する側壁（１８）を構成し、
前記側壁（１８）は、前記カバー（１）の前記裏側（１５）に向かって見ると、長円形または楕円形であり、
前記側壁（１８）は開口（１７）を形成し、
前記圧力をかけると、前記開口（１７）は、前記カバー（１）を脱着するために、より円形に近い開口（１７）へと形を変えることができる
ことを特徴とする、請求項１に記載のカバー。
【請求項３】
前記内側（１３）は、複数の小さい突出部（２１）として配置される、または、前記カバー（１）が前記ボタン（２）を格納している時に、前記ボタン（２）の前記裏側（４）の下に少なくとも０．２ｍｍ突出する１つの長手方向の突出部（２１）として配置される、少なくとも１つの突出部（２１）を有することを特徴とする、請求項１に記載のカバー。
【請求項４】
前記長い直径（２２）と前記短い直径（１９）の差は約２〜２０％であることを特徴とする、請求項１に記載のカバー。
【請求項５】
前記カバー（１）の前記裏側（１５）および／または前記カバー（１）の前記表側（１４）は、その周に沿ってほぼ円形であり、
前記格納壁側（１２）は前記周に接続され、
前記壁側（１２）は通常、前記カバー（１）の前記中心（１１）から外向きに傾斜して、２つの対向する前記内側（１３）の間に前記長い直径（２２）を形成し、前記長い直径（２２）は前記格納壁側（１２）の外端部（２３）において最大であり、
２つの対向する前記内側（１３）の間の前記短い直径（１９）は、前記外端部（２３）に位置し、
前記格納壁側（１２）は通常、前記カバー（１）の前記中心（１１）の方へ内向きに傾斜して、
前記カバー（１）の前記格納壁側（１２）に前記圧力をかける前、前記傾斜は、前記格納壁側（１２）の全長に沿って、前記複数の点（１０）の間で徐々にオフセットされており、
前記複数の点（１０）に前記圧力をかけると、前記格納壁側（１２）は、前記格納壁側（１２）の全長に沿って、前記カバー（１）の前記裏側（１５）に対しておよそ８０〜１００度の角度を取り、開口（１７）が形成され、
前記開口（１７）はほぼ円形であり、様々な長さの複数の直径（８）は、前記ボタン（２）の前記直径（９）よりも長く、これは、前記スリーブ（１６）が脱着可能であることを意味する
ことを特徴とする、請求項２に記載のカバー。
【請求項６】
前記カバー（１）の前記表側（１４）は、少なくとも１点において、様々な長さの複数の前記直径（８）よりも長い直径／幅（２０）を有することを特徴とする、請求項１に記載のカバー。
【請求項７】
前記格納壁側（１２）は、前記カバー（１）の前記表側（１４）の周に接続されており、
前記周は円形、長円形、または楕円形である
ことを特徴とする、請求項１に記載のカバー。
【請求項８】
前記格納壁側（１２）は、その周囲において、少なくとも２つの連続した短い部分に分割され、
前記部分は、その間に、隙間の空いた、スロットまたは空間を挟んでいる
ことを特徴とする、請求項１に記載のカバー。
【請求項９】
前記カバー（１）の前記表側（１４）は、例えば図像、装飾品または図形などの図案を施すようになっている空間を構成することを特徴とする、請求項１に記載のカバー。
【請求項１０】
前記カバー（１）は、変化する厚さを有する薄層からなり、
前記厚さは、前記ボタン（２）の前記直径（９）の約２〜１０％であり、
前記格納壁側（１２）は、前記カバー（１）の前記表側（１４）より薄い厚さで作成される
ことを特徴とする、請求項１に記載のカバー。
【発明の詳細な説明】
【技術分野】
【０００１】
本発明は、ボタンを飾ったり、または装飾する取り外し可能なカバーに関する。このカバーは、ボタンを格納する壁側を有し、この壁側の内側は様々な長さの複数の直径を有し、長い直径はボタンの直径より長く、カバーは上記の長い直径に対する径方向の圧力により変形し、直径が短いボタンのエッジ側から外向きに曲がり、こうしてエッジ側の周囲に空間が作られてボタンが格納され、その後圧力が解放され、カバーがボタンの周囲に強固にロックされる。
【背景技術】
【０００２】
市場で入手可能な、上で問題にしたタイプの設計において、カバーは現在、ボタンを格納してボタンを装飾するために使用されており、このボタンは基材上に配置されている、例えばシャツに縫い付けられている。ボタンの前面は、様々な場面で衣服を使用する場合にマッチするように衣服を装飾する目的で、異なる外観を生み出すために色、パターンまたは図形を有している。例えば、着用者はロゴタイプまたは名称を、ボタンに迅速に取り付けることができ、かつ特別な場合には取り外すことができるカバーにプリントしたいとおもう場合がある。既存のカバーはしばしばボタンそのものより余りに大きく、また、ある一つのボタンサイズや形状にのみマッチしているせいで留めたり緩めたりするのが難しい。これは、特許文献１、特許文献２、および特許文献３によると、これらのカバーが回転して、基材に損傷を与える可能性があること、またはボタンが緩む原因となることを意味する。ボタン上に配置する、装飾されたカバーのほとんどは、どんな状況でも交換することはできず、恒久的に固定されている。従って、ボタンの前面に装飾を施すには、ボタン全体を交換しなければならない。また、上述の設計は複雑であり、製造費用が高価である。
【先行技術文献】
【特許文献】
【０００３】
【特許文献１】米国特許第４９６９２４１号
【特許文献２】米国特許第３４２５１０１号
【特許文献３】米国特許第１０７７７２１号
【発明の概要】
【発明が解決しようとする課題】
【０００４】
本発明のひとつの目的は、カバーを可撓性材料で製造することによって前述の設計上の欠点を削除することであり、このカバーはボタンを格納する壁側を有し、この壁側の内側は、対向する２点において、ボタンの直径より長い直径と、その他に短い直径とを有し、これらの点に対して、外側からカバーの直径が最大の箇所への圧力がかかった場合、カバーは外側へ曲がり、直径が短いボタンのエッジ側を覆い、圧力が解放されると、ボタンのエッジ側と壁側の内側との間に摩擦が生じ、直径が最短の箇所でカバーをロックする。
【課題を解決するための手段】
【０００５】
本発明により、カバーを固定したり緩めたりするためのデバイスが提供される。このカバーは簡単で低コストの構造で構成され、この構成によって、ボタンが固定されている基材に損傷を与えることなく、カバーをボタンに簡単かつ迅速に脱着できる。ボタンは表側、裏側およびエッジ側を有する。本発明によると、カバーは弾性材料からなる。カバーをボタンに配置すると、ボタンの表側およびエッジ側はカバーにより格納される。カバーの表側は、向かって見ると、例えば円形、長円形または楕円形など、丸い形状を有する。カバーの格納壁側は、内側を有する。２つの対向する内側の間、またはカバーの表側／裏側で、壁側は様々な長さまたは距離の複数の直径を有し、そのうちの長い直径は、２つの対向する点において、ボタンの直径より長い。例えば、親指と人差し指をカバーの周上の点に配置し、ボタンの外側に対して、カバーの中心に向かう方向に、径方向の圧力をかけると、カバーが変形する。すると、この変形は格納壁側、そしてその上に存在する第２の点に伝わる。この点においては、内側の間で短い直径がみられ、この直径は前述の長い直径より短く、こうして、伝わった変形によって格納壁側が、カバーの中心から離れる方向へ、外向きに曲がる。そして、格納壁側の内側全体にわたって、ボタンのエッジ側と、格納壁側の内側との間に空間が形成され、これにより、カバーの裏側に開口が形成され、格納壁側の内側全体に沿って、ほぼ同じ直径を有し、この直径はボタンの直径より長い。次に、このカバーは、ボタンのエッジ側と表側とを、ボタンのエッジ側に対する有意な摩擦なしにカバーする。カバーの周囲に対する圧力が解放されると、外向きに曲がっていた格納壁側は、ボタンのエッジ側に向かってばね力で戻り、直径が最小になっている点でボタンを格納し、格納壁側の内側に対する摩擦を生み出し、これによってボタンを格納しているカバーをロックする。カバーをボタンから取り外す際は、カバーの周囲に対して、その長い直径のところに再び圧力をかけ、その圧力を減衰させて、ボタンのエッジ側に対する摩擦を除去するか、徐々に減らす。こうして、カバーは片手の指だけで容易かつ迅速に取り外すことができる。カバーは扁平または若干曲がった表側を有し、そこに例えば、色、パターン、装飾品または図形を用いた図案を施すようになっている。カバーは、ボタンの直径の約２〜１０％の、均一または変化する厚さを有する薄層からなる。格納壁側は、格納壁側におけるより良好な弾性を得るために、カバーの表側より薄くてもよい。カバーは、弾性を有する、幾分堅い、ディスク形状の、可撓性プラスティックシートから製造してもよい。カバーは射出成型、プラスティック材料の真空成型、またはプラスティックシートからの打ち抜きによって製造する。
【０００６】
本発明は、添付の図面を参照し、いくつかの好ましい実施形態を用いて、より詳細に説明される。
【図面の簡単な説明】
【０００７】
【図１】カバーで飾られたボタンを、裏側から見た図である。
【図２】カバーとボタンとの、２つの対向する内側の間の短い直径における、垂直断面図である。
【図３】カバーの透視図であり、カバーの表側は様々な長さの複数の直径よりも長い直径／幅を有する。
【図４】ボタンをカバーして静止した状態のカバーを、真下から見た図である。
【発明を実施するための形態】
【０００８】
図１および図２に、表側３、裏側４およびエッジ側５を有するボタン２を飾る取り外し可能なカバー１を示す。ボタン２は基材６上に配置される。カバー１は表側１４、裏側１５および、前述のエッジ側５を格納する壁側１２を有し、この壁側１２は、エッジ側５を格納する内側１３を有し、この内側は、対向する内側１３の間で様々な長さの複数の直径８を備え、２つの対向する点１０における長い直径２２は、ボタン２の直径９よりも長い。カバー１の周囲の外側に対して、格納壁側１２に向かって、複数の点１０に径方向の圧力をかけることにより、カバー１は変形し、直径２２より短い、短い直径１９を呈する格納壁側１２の第２の点７において、格納壁側１２はカバー１の中心１１から離れる方向へと外向きに曲がり、これによって、エッジ側５全体を格納するための空間が形成され、圧力が解放されると、外向きに曲がっていた格納壁側１２は、ばね力でエッジ側５の方へ戻り、内側１３に対する摩擦を生み出し、これによってカバー１をロックする。本発明の変形形態において、格納壁側１２は長円形または楕円形であり、カバー１の裏側１５から突出する側壁１８として、この裏側１５へ８０〜１００度で接続され、この裏側１５はボタン２の表側３に面している。こうして、カバー１は、カバー１の裏側１５から見ると、開口１７を有するスリーブ１６の形状となる。カバー１を装着する際は、複数の点１０に圧力をかけた状態でボタン２を開口１７に挿入し、次に、カバー１が適切な位置に来ると、即ちカバー１の表側１４上の図案がボタン２上に正確に配向されると、圧力が解放される。カバー１をボタン２から取り外す際は、複数の点１０に再び圧力をかけて、短い直径１９において外向きの曲がりを発生させ、こうして内側１３はエッジ側５からほぼ離れ、カバー１は容易に取り外すことができるようになる。長い直径２２と短い直径１９との差は、約２〜２０％または１〜５ｍｍであり、これにより、カバーがあまりに長円形に見えすぎないように、および、カバー１をボタンに取り付ける際の外向きの曲がりが小さすぎないようにする。内側１３は、一列に並んだいくつかのピースとして配置される複数の突出部２１、または、内側１３からボタン２の裏側４の下に少なくとも０．２〜２ｍｍ突出する１つの長手方向の突出部２１として配置される複数の突出部２１を有し、カバー１が異常な力で引っ張られても、摩擦によって、ボタン２を格納して、カバー１がボタン２から外れないよう保つ。格納壁側１２は、その周囲において、スロットや空間を挟むことによっていくつかの短いピースに分割することもでき、これにより、格納壁側１２を、圧力をかけた時により容易に変形するようにすることができる。
【０００９】
図３は、カバー１の表側１４が、ある複数の点において、様々な長さの複数の直径８よりも長い直径／幅２０を有することを示す図であるが、これは、カバー１がボタン２を飾る際、カバー１の表側１４は、大きい装飾表面として目立つものであることを意味する。こうして、カバー１の表側１４を使って複数のボタン２を飾ることができ、ボタン２はそれぞれ異なる直径／幅２０を有しており、同一の基材６上で様々な印象的な図像を提供する。
【００１０】
図４は、カバー１の裏側１５の周囲はほぼ円形であり、格納壁側１２がこの周に接続されていることを示す図である。格納壁側１２は通常、その外端部２３において、カバー１の中心１１から外向きに傾斜して、２つの対向する内側１３の間に長い直径２２を形成しており、外端部２３は通常、カバー１の中心１１の方へ内向きに傾斜して、２つの対向する内側１３の間の短い直径１９がそこに位置し、傾斜は、格納壁側１２に沿って、複数の点１０の間で徐々にオフセットされている。圧力をかけると、格納壁側１２の傾きが正され、格納壁側１２は、カバー１の裏側１５にほぼ垂直になる。そして、開口１７はほぼ円形になる。すると、様々な長さの複数の直径８はボタン２の直径９より長くなり、これにより、スリーブ１６は容易に脱着できるようになる。スリーブ１６のこの設計は、格納壁側１２が、複数の点１０に圧力をかける前から垂直であり、カバー１の表側１４がより円形に近く見える場合には、短い直径１９と長い直径２２との差を、幾分短くすることができることを意味している。
【図１】
2013521857.tif 000003
【図２】
2013521857.tif 000004
【図３】
2013521857.tif 000005
【図４】
2013521857.tif 000006
【国際調査報告】
2013521857.tif 000007
2013521857.tif 000008
2013521857.tif 000009